(57)【特許請求の範囲】
【請求項１】
水槽付きキャビネットの水槽の排水器具の上端に密接するフランジ部と、該フランジ部の内周縁に連設され、排水器具の上部内周面に密接する筒部と、該筒部の下端に連設された底壁とを有する密閉具で排水器具の上部開口を密閉し、該密閉具の上から排水器具の上部開口に覆い蓋を嵌め、該覆い蓋と排水器具の内周面とで前記筒部を挟持する状態を水槽付きキャビネットの使用を開始するまで保持し、
水槽付きキャビネットの使用を開始する直前に、前記覆い蓋を排水器具の上部開口から離脱させて、密閉具を外すことを特徴とする水槽付きキャビネットの新規設置方法。
【請求項２】
トラップ機構を有する本体と、この本体の上部開口に着脱自在に嵌められた密閉具と、この密閉具の上から本体の上部開口に着脱自在に嵌められた覆い蓋とを有し、前記密閉具が、本体上端に密接するフランジ部と、このフランジ部の内周縁に連設された、本体の上部内周面に密接する筒部と、この筒部の下端に連設された底壁とを有しており、覆い蓋と本体の内周面とで筒部を挟持するようになされている密閉具を有する排水器具。
【請求項３】
前記フランジ部の上面に、水槽付きキャビネットの使用を開始するまで密閉具を外さないようにする旨の注意書きが記載されている請求項２記載の密閉具を有する排水器具。
【発明の詳細な説明】
【０００１】
【発明の属する技術分野】
本発明は、新築家屋や改装家屋に新規に設置された水槽付きキャビネット（流し台・洗面台等）の使用開始方法及びその方法に使用される密閉具を有する排水器具に関する。
【０００２】
【従来の技術】
従来のこの種の方法として以下のものは知られている。
新規設置の水槽付きキャビネットの水槽の排水器具の上部開口に段ボール紙を被せて、その状態を使用者が水槽付きキャビネットの使用を開始するまで保持し、使用者が水槽付きキャビネットの使用を開始する直前に段ボール紙を外して水を流すようにしたものは知られている。
排水器具の上部開口に段ボール紙を被せた状態を使用者が水槽付きキャビネットの使用を開始するまで保持するのは、使用者が常時水を使用する状態となるまでは、排水器具内に設けられたトラップ機構や排水器具と別個のトラップ装置に水が溜った状態とならず、トラップ機構等によって排水管の下流部から水槽側に上がって来る臭気・有毒ガスを防ぐことが出来ないので、段ボール紙によって防ぐためである。
【０００３】
【従来技術の欠点】
前記従来の方法には以下の如き欠点があった。
排水器具の上部開口に段ボール紙を被せただけであったので、段ボール紙と排水器具の上部開口との間の間隙から臭気・有毒ガスが水槽内に入り込み、所期の目的をほとんど達成することが出来ないという欠点があった。更に加えて、下水道設備が整っていない地域において合併浄化槽を設置している場合は、合併浄化槽内の塩素系消毒剤から発生する塩素ガスによって、ステンレス製等の水槽が腐食するという欠点があった。
【０００４】
【課題を解決するための手段】
本発明は前記欠点を解消するために以下の如き手段を採用した。
請求項１の発明は、水槽付きキャビネットの水槽の排水器具の上端に密接するフランジ部と、該フランジ部の内周縁に連設され、排水器具の上部内周面に密接する筒部と、該筒部の下端に連設された底壁とを有する密閉具で排水器具の上部開口を密閉し、該密閉具の上から排水器具の上部開口に覆い蓋を嵌め、該覆い蓋と排水器具の内周面とで前記筒部を挟持する状態を水槽付きキャビネットの使用を開始するまで保持し、水槽付きキャビネットの使用を開始する直前に、前記覆い蓋を排水器具の上部開口から離脱させて、密閉具を外すことを特徴とする水槽付きキャビネットの新規設置方法である。
請求項２の発明は、密閉具を有する排水器具であって、トラップ機構を有する本体と、この本体の上部開口に着脱自在に嵌められた密閉具と、この密閉具の上から本体の上部開口に着脱自在に嵌められた覆い蓋とを有し、前記密閉具が、本体上端に密接するフランジ部と、このフランジ部の内周縁に連設された、本体の上部内周面に密接する筒部と、この筒部の下端に連設された底壁とを有しており、覆い蓋と本体の内周面とで筒部を挟持するようになされている密閉具を有するものである。
請求項３の発明は、前記フランジ部の上面に、水槽付きキャビネットの使用を開始するまで密閉具を外さないようにする旨の注意書きが記載されている請求項２記載のものである。
【０００５】
【発明の効果】
本発明は前記した如き構成によって以下の如き効果を奏する。
請求項１の発明によれば、トラップ機構等に水が溜ってトラップ機構等が本来の機能を発揮し得る状態となるまでの間、排水器具の上部開口を密閉する密閉具によって排水管の下流側からの有毒ガス・臭気等が水槽に逆流するのを完全に防止することが出来ることに加えて、密閉具のフランジ部を排水器具の上端に載せることにより密閉具のセットが出来るので、密閉具のセットが行ないやすく、さらに、排水器具の上部開口に嵌めた覆い蓋と排水器具の内周面とで密閉具の筒部を挟持するので、使用を開始するまで排水器具の上部開口の密閉を確実に行なうことが出来る。
請求項２の発明によれば、密閉具のフランジ部をトラップ機構を有する本体の上端に載せることにより密閉具のセットが出来るので、密閉具のセットが行ないやすく、覆い蓋と排水器具の本体の内周面とで密閉具の筒部を挟持するようになされているので、密閉を確実に行なうことが出来る。
請求項３の発明によれば、水槽付きキャビネットの使用を開始するまで密閉具を外さないようにする旨の注意書きがフランジ部の上面に記載されているので、不用意に水槽付きキャビネット使用開始前に密閉具が外される恐れがない。
【０００６】
【発明の実施の形態】
以下に本発明の実施の形態を説明する。
【０００７】
まず、ダイニング１に設置された水槽付きキャビネット３（この実施の形態では流し台）につき説明する。
水槽付きキャビネット３は、天板４、水槽５及び水槽５の排水口６に取り付けられた排水器具８等を有している。
前記排水器具８には排水管９が接続されており、この排水管９が合併浄化槽（図示略）に接続されている。
【０００８】
前記排水器具８は、上部開口１１を有すると共に下部にトラップ機構１２を有する本体１３と、この本体１３の上部段部に着脱自在に取り付けられたごみかご１４と、本体１３の上部開口１１に着脱自在に嵌められた密閉具１５と、この密閉具１５の上から本体１３の上部開口１１に着脱自在に嵌められた、排水開口１７を有する覆い蓋１６とを有している。
【０００９】
前記密閉具１５は、本体１３の上端に密接するフランジ部２０と、このフランジ部２０の内周縁に連設された、本体１３の上部内周面に密接する筒部２１と、この筒部２１の下端に連設された底壁２２とを有している。そして、覆い蓋１６と本体１３の内周面とで密閉具１５の筒部２１を挟持するようになされている。
密閉具１５は、厚さ０．２ｍｍ程度の合成樹脂製である。
前記フランジ部２０の上面には、水槽付きキャビネット３の使用を開始するまで密閉具１５を外さないようにする旨の注意書き、例えば、「排水口より塩素ガス等が上がり錆が発生する恐れがありますので、入居まではこの密閉具を外さないで下さい。」というような注意書きが記載されている。
【００１０】
【発明の実施の形態方法】
次に発明の実施の形態方法を説明する。
新規設置の水槽付きキャビネット３の水槽５の排水器具８の上部開口１１を密閉具１５で密閉した状態を使用者が水槽付きキャビネット３の使用を開始するまで保持し、使用者が水槽付きキャビネット３の使用を開始する直前に密閉具１５を外して直ちに水を流す。このような作業を経て、新規設置の水槽付きキャビネット３の使用を開始する。
【００１１】
【変形例等】
以下に変形例等について説明を加える。
（１）密閉具１５は、排水器具８の上部開口１１を密閉出来るのもであれば、形状・素材等は任意である。
（２）密閉具１５の筒部２１の下端をごみかご１４の底部より下方まで伸ばし、その筒部２１の下端に底壁２２を連設し、排水器具８の本体１３に密閉具１５をセットした後、あみかご１４及び覆い蓋１６をセットするようにしてもよい。
（３）排水器具８はトラップ機構１２を有しないものでもよい。その場合、別個にトラップ装置を設けることは云うまでもない。
（４）覆い蓋１６の形状は任意である。
（５）覆い蓋１６の形状によっては、覆い蓋１６と排水器具８の本体１３の内周面とで密閉具１５の筒部２１を挟持させないこともある。
【図面の簡単な説明】
【図１】本発明の実施の形態方法を説明するための水槽付きキャビネットの正面図である。
【図２】図１のＡ部分拡大断面図である。
【図３】密閉具の拡大断面図である。
【符号の説明】
３  水槽付きキャビネット
５  水槽
８  排水器具
１１  上部開口
１２  トラップ機構
１３  本体
１４  ごみかご
１５  密閉具
１６  覆い蓋
１７  排水開口
２０  フランジ部
２１  筒部
２２  底壁
【図１】
0004476450.tif 000002
【図２】
0004476450.tif 000003
【図３】
0004476450.tif 000004